(57)【特許請求の範囲】
【請求項１】
複数の医用画像撮影装置と、患者毎の予約情報に基づいて前記複数の医用画像撮影装置を制御する１台の制御装置と、が接続された医用画像システムであって、
前記制御装置は、
患者の予約情報に含まれる検査内容と、前記複数の医用画像撮影装置の中の一の医用画像撮影装置の名称またはアイコンまたは文字による記号と、を対応付けて記憶する記憶手段と、
複数の検査内容を含む患者の予約情報を取得する取得手段と、
前記取得手段により取得された患者の予約情報のうちの一に含まれた複数の検査内容それぞれと対応付けられた、前記記憶手段に記憶された医用画像撮影装置の名称またはアイコンまたは文字による記号を抽出し、該患者の予約情報に含まれる複数の検査内容それぞれと対応付けて表示手段に表示する表示制御手段と、
を備えることを特徴とする医用画像システム。
【請求項２】
複数の医用画像撮影装置と、患者毎の予約情報に基づいて前記複数の医用画像撮影装置を制御する１台の制御装置と、が接続された医用画像システムにおける予約情報表示方法であって、
患者の予約情報に含まれる検査内容と、前記複数の医用画像撮影装置の中の一の医用画像撮影装置の名称またはアイコンまたは文字による記号と、を対応付けて記憶する記憶工程と、
複数の検査内容を含む患者の予約情報を取得する取得工程と、
前記取得工程により取得された患者の予約情報のうちの一に含まれた複数の検査内容それぞれと対応付けられた、前記記憶工程により記憶された医用画像撮影装置の名称またはアイコンまたは文字による記号を抽出し、該患者の予約情報に含まれる複数の検査内容それぞれと対応付けて表示手段に表示する表示制御工程と、
を含むことを特徴とする医用画像システムにおける予約情報表示方法。
【請求項３】
患者毎の予約情報に基づいて複数の医用画像撮影装置を制御するコンピュータに、
患者の予約情報に含まれる検査内容と、前記複数の医用画像撮影装置の中の一の医用画像撮影装置の名称またはアイコンまたは文字による記号と、を対応付けて記憶する記憶機能と、
複数の検査内容を含む患者の予約情報を取得する取得機能と、
前記取得機能により取得された患者の予約情報のうちの一に含まれた複数の検査内容それぞれと対応付けられた、前記記憶機能により記憶された医用画像撮影装置の名称またはアイコンまたは文字による記号を抽出し、該患者の予約情報に含まれる複数の検査内容それぞれと対応付けて表示手段に表示する表示制御機能と、
を実現させるためのプログラム。
【発明の詳細な説明】
【０００１】
【発明の属する技術分野】
本発明は、医用画像システム、医用画像システムにおける予約情報表示方法、及びプログラムに係り、詳細には、複数の医用画像撮影装置の予約情報が一元管理される医用画像システム、医用画像システムにおける予約情報表示方法、及びプログラムに関する。
【０００２】
【従来の技術】
従来、医療の分野においては、患者に対する病気診断のために、Ｘ線等の放射線を利用した医用画像撮影が行われている。近年では、病院内にＬＡＮ（Local Area Network）等のネットワークが構築されてきており、Ｘ線撮影装置等の各種の医療画像装置がネットワークに接続されている。
【０００３】
例えば、Ｘ線撮影装置は、Ｘ線にて患者の画像読取を行う装置（読取装置）と、この読取装置を制御する制御装置により構成され、制御装置は、上記ネットワークを介して、患者情報を管理するサーバに接続されている。サーバは、オペレータにより入力された各患者の撮影予約情報を制御装置に送信し、制御装置は、サーバから送信された各患者の予約情報に従って読取装置を制御する。
【０００４】
これにより、放射線技師や医師など放射線撮影を行う者は、上述した制御装置にて、サーバから取得した患者の予約情報(例えば、患者情報（被写体となる患者の氏名、ＩＤ、性別、生年月日、コメント等）や検査内容（検査部位、検査条件等）)等を確認することができる。したがって、例えば、放射線技師は、制御装置が取得した予約情報に含まれる検査内容に従い、検査を行うことができる。さらに近年のコンピュータの発達／小型化により、1台の制御装置で1台の読取装置を制御するのではなく、1台の制御装置で複数台の読取装置を制御することも可能となってきた。この場合、1台の制御装置に複数の読取装置で撮影する予約が登録されることになる。
【０００５】
【発明が解決しようとする課題】
しかしながら、上記のように1台の制御装置で複数台の読取装置の制御が可能になると、操作者は表示されている予約一覧を見ても、どの予約がどの読取装置で撮影するか明示されていないため容易には判断できないという問題があった。
具体的には、例えば、従来、放射線検査技師は、予約情報に含まれる検査部位から読取装置を推定していた（例えば、検査部位が「大腿骨」なら読取装置は「臥位」と推定する）が、１つの検査部位（例えば、胸部）に対して複数の読取装置での撮影が考えられる場合は検査部位から読取装置を推定することができなかた。
【０００６】
本発明の課題は、病院等の医療現場における制御装置にて、複数の医用画像撮影装置の予約情報を表示する際に、予約情報に含まれる検査内容と医用画像撮影装置との対応を明確にすることである。
【０００７】
【課題を解決するための手段】
本発明は、このような課題を達成するために、次のような特徴を備えている。
【０００８】
請求項１記載の発明は、
複数の医用画像撮影装置と、患者毎の予約情報に基づいて前記複数の医用画像撮影装置を制御する１台の制御装置と、が接続された医用画像システムであって、
前記制御装置は、
患者の予約情報に含まれる検査内容と、前記複数の医用画像撮影装置の中の一の医用画像撮影装置の名称またはアイコンまたは文字による記号と、を対応付けて記憶する記憶手段と、
複数の検査内容を含む患者の予約情報を取得する取得手段と、
前記取得手段により取得された患者の予約情報のうちの一に含まれた複数の検査内容それぞれと対応付けられた、前記記憶手段に記憶された医用画像撮影装置の名称またはアイコンまたは文字による記号を抽出し、該患者の予約情報に含まれる複数の検査内容それぞれと対応付けて表示手段に表示する表示制御手段と、
を備えることを特徴としている。
【０００９】
請求項２記載の発明は、
複数の医用画像撮影装置と、患者毎の予約情報に基づいて前記複数の医用画像撮影装置を制御する１台の制御装置と、が接続された医用画像システムにおける予約情報表示方法であって、
患者の予約情報に含まれる検査内容と、前記複数の医用画像撮影装置の中の一の医用画像撮影装置の名称またはアイコンまたは文字による記号と、を対応付けて記憶する記憶工程と、
複数の検査内容を含む患者の予約情報を取得する取得工程と、
前記取得工程により取得された患者の予約情報のうちの一に含まれた複数の検査内容それぞれと対応付けられた、前記記憶工程により記憶された医用画像撮影装置の名称またはアイコンまたは文字による記号を抽出し、該患者の予約情報に含まれる複数の検査内容それぞれと対応付けて表示手段に表示する表示制御工程と、
を含むことを特徴としている。
【００１０】
請求項３記載の発明は、
患者毎の予約情報に基づいて複数の医用画像撮影装置を制御するコンピュータに、
患者の予約情報に含まれる検査内容と、前記複数の医用画像撮影装置の中の一の医用画像撮影装置の名称またはアイコンまたは文字による記号と、を対応付けて記憶する記憶機能と、
複数の検査内容を含む患者の予約情報を取得する取得機能と、
前記取得機能により取得された患者の予約情報のうちの一に含まれた複数の検査内容それぞれと対応付けられた、前記記憶機能により記憶された医用画像撮影装置の名称またはアイコンまたは文字による記号を抽出し、該患者の予約情報に含まれる複数の検査内容それぞれと対応付けて表示手段に表示する表示制御機能と、
を実現させるためのプログラムであることを特徴としている。
【００１１】
この請求項１、２、３記載の発明によれば、予約情報に含まれる検査内容と、医用画像撮影装置の名称または医用画像撮影装置のアイコンまたは文字による記号とを対応付けて記憶し、予約情報を取得した際に、この予約情報に含まれる検査内容に対応する医用画像撮影装置の名称または医用画像撮影装置のアイコンまたは文字による記号とともに予約情報を表示手段に表示する。したがって、予約情報（患者情報、検査部位等）と使用する医用画像撮影装置との対応が明確になるため、ユーザ（例えば、検査技師、医師等）は、表示手段を一見することにより、予約情報に対応する医用画像撮影装置を即座に判断できる。これにより、ユーザ自身が予約情報に含まれる検査内容から医用画像撮影装置を判断せずにすむので、使用すべき医用画像撮影装置を取り違えるといったミスを防止できる。
【００１２】
【発明の実施の形態】
以下、図１〜図５を参照して本発明を適用した放射線画像撮影システム１００の実施の形態を詳細に説明する。
【００１３】
まず、構成を説明する。
図１は、本実施の形態における放射線画像撮影システム１００の全体構成を示す図である。図１に示すように、放射線画像撮影システム１００は、サーバ１と、複数の放射線画像撮影装置３〜５と接続されたコントローラ２と、が通信ネットワークＮを介して相互にデータの送受信が可能なように接続されて構成されている。この放射線画像撮影システム１００は、病院の内外に構築され、診療に利用する医用画像データを一括管理する。
【００１４】
なお、図１では、１台のサーバ１と、１台のコントローラ２とが、通信ネットワークＮに接続される場合を示しているが、これらの台数は特に限定されない。
【００１５】
サーバ１は、通信ネットワークＮを介して接続されるコントローラ２を含む全てのクライアント端末を一元的に管理する。また、サーバ１は、ＤＢ（図示省略）を備え、患者情報（例えば、ＩＤ、氏名、性別、生年月日、コメント等）や患者の予約情報（例えば、患者情報、検査内容（検査部位、検査条件等））や放射線画像撮影装置３〜５により撮影された画像データをＤＢに保存して一括管理する。
【００１６】
コントローラ２は、例えば、病院内の放射線科や検査センター等に設置されるクライアント端末であり、放射線画像撮影装置３〜５により撮影された画像データをサーバ１に転送する。また、コントローラ２は、サーバ１から定期的に送信される放射線画像撮影装置３〜５に対応する予約情報を受信し、この予約情報に基づいて、放射線画像撮影装置３〜５を制御する。
【００１７】
放射線画像撮影装置３は、立位での放射線撮影に使用される放射線画像読取装置３１と、放射線照射部３２とを備えている。ここで、放射線画像読取装置３１は、輝尽性蛍光体、光電子倍増管、レーザ光源、Ａ／Ｄ変換器等を有しており、輝尽性蛍光体に放射線照射部３２から照射された放射線による被写体の画像データを一旦蓄積記録したものにレーザ光源から照射されたレーザ光を走査して順次輝尽発光させ、この輝尽発光光を光電子倍増管により光電変換させ、Ａ／Ｄ変換器によりデジタル信号に変換させる。また、放射線画像読取装置３１は、これにより得られたデジタル信号の画像データをコントローラ２に送信する。
【００１８】
放射線画像撮影装置４は、臥位での放射線撮影に使用される放射線画像読取装置４１と、放射線照射部４２とを備えている。なお、放射線画像読取装置４１と、放射線照射部４２との詳細は、放射線画像読取装置３１と、放射線照射部３２と実質的に同一であるため説明を省略する。
【００１９】
放射線画像撮影装置５は、立位または臥位での放射線撮影に使用されるカセッテ５１と、放射線照射部５２と、撮影済みのカセッテから画像情報を読み取る画像読取装置５３とを備えて構成される。なお、カセッテ５１は、シート状支持体及び輝尽性蛍光体からなる輝尽性蛍光体シートを収納しており、所定の位置に配置されて放射線画像撮影に供され、記録された画像情報を読み取る際には、このカセッテ内の輝尽性蛍光体シートを画像読取装置５３にて励起光で走査する。この画像読取装置５３は、光電子倍増管、レーザ光源、Ａ／Ｄ変換器等を備え、放射線画像読取装置３１と同様に、デジタル信号の画像データを取得し、コントローラ２に送信する。
【００２０】
通信ネットワークＮは、専用線や既存の一般公衆回線を利用して構築された情報ネットワークであるが、ＬＡＮやＷＡＮ、インターネット等の様々な回線形態を適用することが可能である。また、図１では各装置間は有線接続として図示しているが、無線接続であってもよい。但し、情報管理の信頼性の観点から特定のユーザのみアクセス可能なセキュリティを確保しているネットワークであることが望ましい。
【００２１】
次に、図１に示した放射線画像撮影システム１００を構成するコントローラ２の内部構成を図２を参照して説明する。
図２において、コントローラ２は、ＣＰＵ２１、入力部２２、表示部２３、伝送制御部２４、ＲＡＭ２５、記憶部２６及び記録媒体２７によって構成されており、記録媒体２７を除く各部はバス２８によって接続されている。
【００２２】
ＣＰＵ（Central  Processing  Unit）２１は、記憶部２６に記憶されているシステムプログラムや各種制御プログラムを読み出し、ＲＡＭ２５に展開し、該制御プログラムに従って各部の動作を集中制御する。また、ＣＰＵ２１は、ＲＡＭ２５に展開したプログラムに従って各種処理を実行し、その処理結果をＲＡＭ２５に格納すると共に、表示部２３に表示させる。そして、ＲＡＭ２５に格納した処理結果を記憶部２６の所定の保存先に保存させる。
【００２３】
また、ＣＰＵ２１は、サーバ１から受信した予約情報と、テーブル２６ａに記憶された、予約情報に含まれる検査内容（検査部位）に対応する放射線画像撮影装置の名称及びアイコンとに基づいて、表示画面Ｇ１（図４参照）や詳細画面Ｇ２（図５参照）を生成し、表示部２３に表示する。
つまり、ＣＰＵ２１は、表示制御手段としての機能を有している。
【００２４】
入力部２２は、カーソルキー、数字入力キー、及び各種機能キー等を備えたキーボード、及びマウスを含み、キーボードで押下されたキーに対応する押下信号やマウスの位置信号をＣＰＵ２１に出力する。なお、入力部２２は、必要に応じてタッチパネルや、その他の入力装置を備えることとしてもよい。
【００２５】
表示部２３は、ＬＣＤ（Liquid  Crystal  Display）表示装置やＣＲＴ（Cathode  Ray  Tube）表示装置等により構成され、ＣＰＵ２１から入力される表示信号の指示に従って、入力部２２からの入力指示や伝送制御部２４を介して送受信されるデータの内容等を表示画面上に表示させる。
【００２６】
伝送制御部２４は、ＬＡＮアダプターやルータ、モデム（ＭＯＤＥＭ：MOdulator/DEModulator）、ＴＡ（Terminal  Adapter）等によって構成され、ＬＡＮや専用線、或いはＩＳＤＮ回線などの通信回線を介して通信ネットワークＮに接続された各装置との通信制御を行う。
つまり、伝送制御部２４は、取得手段としての機能を有している。
【００２７】
ＲＡＭ（Random  Access  Memory）２５は、ＣＰＵ２１により実行制御される各種処理において、記憶部２６から読み出されたコントローラ２上で実行可能なシステムプログラム、制御プログラム、入力若しくは出力データ、及びパラメータ等の一時的な格納領域を形成する。
【００２８】
記憶部２６は、プログラムやデータ等が予め記憶された記録媒体２７を有しており、この記録媒体２７は磁気的、光学的記録媒体、若しくは半導体メモリで構成されている。この記録媒体２７は記憶部２６に固定的に設けられるもの、若しくは着脱自在に装着するものであり、この記録媒体２７に、コントローラ２に対応するシステムプログラム、当該システムプログラムに対応する各種処理プログラム、及び各種処理プログラムで処理されたデータ等を記憶する。これらの各種処理プログラムは、読み取り可能なプログラムコードの形態で格納され、ＣＰＵ２１は、当該プログラムコードに従った動作を逐次実行する。
【００２９】
また、記録媒体２７に記憶されたプログラム、データ等は、その一部若しくは全部をサーバやクライアント等の外部機器から、ＷＡＮ、ＬＡＮ等のネットワーク回線等の伝送媒体を介して伝送制御部２４から受信して記憶する構成にしてもよく、また、記録媒体２７はネットワーク上に構築されたサーバの記録媒体であっても良い。更に、上記プログラムをネットワーク回線等の伝送媒体を介してサーバやクライアントへ伝送してこれらの機器にインストールするように構成しても良い。
【００３０】
また、記憶部２６は、検査部位と放射線画像撮影装置とを対応付けて管理するテーブルとして、テーブル２６ａを記憶している。
図３にテーブル２６ａのデータ構成例を示す。テーブル２６ａの１レコードには、「部位」項目２６１、「放射線画像撮影装置名」項目２６２、及び「アイコン」項目２６３が設定されており、検査部位に応じて使用する放射線画像撮影装置の名称（ここでは、「立位：放射線画像撮影装置３」、「臥位：放射線画像撮影装置４」、「立位カセッテ：放射線画像撮影装置５」のいずれか）と、放射線画像撮影装置に対応するアイコンとを記憶している。
つまり、記憶部２６は、記憶手段としての機能を有している。
【００３１】
次に、動作を説明する。
まず、コントローラ２は、サーバ１から定期的に送信される患者の予約情報（例えば、患者情報（例えば、ＩＤ、氏名、性別、生年月日、コメント等）、検査内容（検査部位、検査条件等））を受信する。このとき、コントローラ２のＣＰＵ２１は、受信した予約情報のうちの検査内容（検査部位）に対応する放射線画像撮影装置、及び放射線画像撮影装置に対応するアイコンをテーブル２６ａからＲＡＭ２５に読み出す。そして、ＣＰＵ２１は、受信した予約情報とＲＡＭ２５に読み出した放射線画像撮影装置及びアイコンとに基づいて、表示画面Ｇ１を生成し、表示部２３に表示する。
【００３２】
図４は、表示画面Ｇ１の画面構成例を示す図である。表示画面Ｇ１は、複数の患者の予約一覧を示しており、図４に示すように、「予約番号」表示欄Ｇ１ａ、「患者ＩＤ」表示欄Ｇ１ｂ、「氏名」表示欄Ｇ１ｃ、「性別」表示欄Ｇ１ｄ、「部位・条件」表示欄Ｇ１ｅ、「放射線画像撮影装置名」表示欄Ｇ１ｆ、及び「アイコン」表示欄Ｇ１ｇ、が設けられるとともに、表示画面Ｇ１の詳細情報を表示させる際にクリックされる「詳細」ボタンＧ１ｈ、次ページの予約一覧を表示させる際にクリック操作される「次ページ」ボタンＧ１ｉ、及び表示画面Ｇ１の表示を終了させる際にクリック操作される「終了」ボタンＧ１ｊが設けられる。
【００３３】
そして、表示画面Ｇ１において、入力部２２から、例えば、患者の氏名‘Konica  Taro’が指定され、更に「詳細」ボタンＧ１ｈがクリック操作されると、ＣＰＵ２１は、指定された患者‘Konica  Taro’に対する予約情報に基づいて、詳細画面Ｇ２を生成し、表示部２３に表示する。
【００３４】
図５は、詳細画面Ｇ２の画面構成例を示す図である。詳細画面Ｇ２は、患者毎に作成されるカルテであり、図５に示すように、「患者情報」表示欄Ｇ２ａ、「検査内容」表示欄Ｇ２ｂ、「検査位置」表示欄Ｇ２ｃ、及び特記事項等を表示する「備考」表示欄Ｇ２ｄが設けられている。
ここで、「患者情報」表示欄Ｇ２ａは、「患者ＩＤ」項目Ｇ２１ａ、「氏名」項目Ｇ２２ａ、「性別」項目Ｇ２３ａ、「生年月日」項目Ｇ２４ａ、「年齢」項目Ｇ２５ａ、及び「コメント」項目Ｇ２６ａから構成され、患者の保険証等から得られたデータを示している。
また、「検査内容」表示欄Ｇ２ｂは、「検査ＮＯ」項目Ｇ２１ｂ、「部位」項目Ｇ２２ｂ、「条件」項目Ｇ２３ｂ、「放射線画像撮影装置名」項目Ｇ２４ｂ、及び「アイコン」項目Ｇ２５ｂと、から構成され、問診や診察の際に得られたデータに基づいて決定された検査内容を示している。
また、「検査位置」表示欄Ｇ２ｃは、問診や診察により特定された検査部位を視覚的に表示する。
【００３５】
そして、ユーザ（例えば、検査技師、医師等）は、この詳細画面Ｇ２の「検査内容」表示欄Ｇ２ｂ及び「検査位置」表示欄Ｇ２ｃに表示された部位を検査するための放射線画像撮影装置を、部位とともに表示された放射線画像撮影装置の名称やアイコンにより判断して、患者に対する検査を行う。
【００３６】
以上のように、コントローラ２のＣＰＵ２１は、サーバ１から送信された予約情報を受信すると、テーブル２６ａから予約情報に含まれる検査部位に対応する放射線画像撮影装置の名称及びその放射線画像撮影装置のアイコンをＲＡＭ２５に読み出す。そして、受信した予約情報と、ＲＡＭ２５に読み出した放射線画像撮影装置及びそのアイコンとに基づいて、表示画面Ｇ１を生成し、表示部２３に表示する。この表示画面Ｇ１では、検査部位とともに検査に使用する放射線画像撮影装置及び放射線画像撮影装置を示すアイコンを表示する。
【００３７】
また、表示画面Ｇ１において、入力部２２から詳細表示が指定されると、指定された患者に対する予約情報に基づいて、詳細画面Ｇ２を生成し、表示部２３に表示する。この詳細画面Ｇ２でも、表示画面Ｇ１と同様に検査部位とともに検査に使用する放射線画像撮影装置及び放射線画像撮影装置を示すアイコンを表示する。
【００３８】
したがって、表示画面Ｇ１（図４参照）において、検査部位に対応する放射線画像撮影装置の名称や放射線画像撮影装置を示すアイコンを表示するので、検査部位と放射線画像撮影装置との対応が明確になり、ユーザ（例えば、検査技師、医師等）は、表示画面Ｇ１を一見することにより、検査内容（例えば、検査部位等）と放射線画像撮影装置との対応を即座に判断することができる。これにより、ユーザ自身が検査部位に対応する放射線画像撮影装置を判断せずにすむので、使用すべき放射線画像撮影装置を取り違えるといったミスを防止できる。
【００３９】
また、詳細画面Ｇ２（図５参照）において、検査部位に対応する放射線画像撮影装置の名称や放射線画像撮影装置を示すアイコンを表示するので、検査部位と放射線画像撮影装置との対応が明確になり、ユーザ（例えば、検査技師、医師等）は、この詳細画面Ｇ２を一見することにより、放射線画像撮影装置の使用回数を判断することができる。例えば、図５に示す詳細画面Ｇ２の「検査内容」表示欄Ｇ２ｂを一見することにより、立位カセッテ：３回、立位：１回の検査が必要となっていることが即座に分かるため、立位カセッテにより２回検査を行った場合に、更に１回立位カセッテによる検査が残っていることがわかる。このため、１つの放射線画像撮影装置による検査をまとめて行うことができるので、迅速に検査が行える。
【００４０】
なお、以上の実施の形態においては、３台の放射線画像撮影装置３〜５を用いて説明したが、これらの数は特に限定されない。
【００４１】
また、本実施の形態では、サーバ１とコントローラ２とが通信ネットワークＮを介して接続されることとしたが、これに限定されない。例えば、サーバ１とコントローラ２とが通信ネットワークＮを介して接続されない場合に、コントローラ２は、入力部２２から予約情報を入力することとしてもよい。この場合、入力部２２は、取得手段としての機能を有することとなる。
【００４２】
また、本実施の形態では、検査部位に対応する放射線画像撮影装置の名称や放射線画像撮影装置を示すアイコンを表示することとしたが、これに限定されず、例えば、立位を示す「立」やカセッテを示す「カ」等のような、放射線画像撮影装置を示す文字による記号を表示することとしてもよい。
【００４３】
また、本発明は、上記実施の形態の内容に限定されるものではなく、本発明の主旨を逸脱しない範囲で適宜変更可能である。
【００４４】
【発明の効果】
請求項１、２、３記載の発明によれば、予約情報（患者情報、検査部位等）と使用する医用画像撮影装置との対応が明確になるため、ユーザ（例えば、検査技師、医師等）は、表示手段を一見することにより、予約情報に対応する医用画像撮影装置を即座に判断できる。これにより、ユーザ自身が予約情報に含まれる検査内容から医用画像撮影装置を判断せずにすむので、使用すべき医用画像撮影装置を取り違えるといったミスを防止できる。
【図面の簡単な説明】
【図１】放射線画像撮影システム１００の全体構成を示す図である。
【図２】コントローラ２の内部構成を示す図である。
【図３】テーブル２６ａのデータ構成例を示す図である。
【図４】表示画面Ｇ１の画面構成例を示す図である。
【図５】詳細画面Ｇ２の画面構成例を示す図である。
【符号の説明】
１    サーバ
２    コントローラ
２１    ＣＰＵ
２２    入力部
２３    表示部
２４    伝送制御部
２５    ＲＡＭ
２６    記憶部
２６ａ  テーブル
２７    記録媒体
２８    バス
３    放射線画像撮影装置
４    放射線画像撮影装置
５    放射線画像撮影装置
１００  放射線画像撮影システム
Ｇ１    表示画面
Ｇ２    詳細画面
Ｎ    通信ネットワーク
【図１】
0004524062.tif 000002
【図２】
0004524062.tif 000003
【図３】
0004524062.tif 000004
【図４】
0004524062.tif 000005
【図５】
0004524062.tif 000006